(57)【要約】【課題】扉の枢支軸を容易に変更できる冷蔵庫を提供する。【解決手段】本体部２に設けた貯蔵室３を開閉する扉４が本体部２の左右端に択一的に配されるヒンジピン５、６により枢支され、扉４の枢支軸を左右に可変の冷蔵庫１において、本体部２の天面前部の左右端に開口して扉４の上面に嵌合するヒンジピン５が上方から挿通される挿通孔７ａと、本体部２の天面の少なくとも後部を覆うとともに前方に面した形成面１１ａに形成される係止部１２を有した天面パネル１０と、係止部１２に係合する複数の係合爪２１を後端に有して本体部２の天面上を前後にスライド自在に配されるとともに左右の挿通孔７ａを覆う一のカバー部材２０とを備え、カバー部材２０が左右に離れた２箇所に設けた押圧領域２５の押圧によって係合部１２と係合爪２１との係合を解除して前方に引き出して取り外される。【選択図】図１
2012078009.tif 000002
【特許請求の範囲】
【請求項１】
本体部に設けた貯蔵室を開閉する扉が前記本体部の左右端に択一的に配されるヒンジピンにより枢支され、前記扉の枢支軸を左右に可変の冷蔵庫において、前記本体部の天面前部の左右端に開口して前記扉の上面に嵌合する前記ヒンジピンが上方から挿通される挿通孔と、前記本体部の天面の少なくとも後部を覆うとともに前方に面した形成面に形成される係止部を有した天面パネルと、前記係止部に係合する複数の係合爪を後端に有して前記本体部の天面上を前後にスライド自在に配されるとともに左右の前記挿通孔を覆う一のカバー部材とを備え、前記カバー部材が左右に離れた２箇所に設けた押圧領域の押圧によって前記係合部と前記係合爪との係合を解除して前方に引き出して取り外されることを特徴とする冷蔵庫。
【請求項２】
前記カバー部材は前記天面パネルに設けた嵌合孔に嵌合して左右方向を位置決めされるガイド部を有することを特徴とする請求項１に記載の冷蔵庫。
【請求項３】
前記押圧領域近傍の前記係合爪の係合深さよりも前記押圧領域から離れた前記係合爪の係合深さが浅いことを特徴とする請求項１または請求項２に記載の冷蔵庫。
【請求項４】
前記係合爪の頂部が前記形成面に対して前後方向に傾斜することを特徴とする請求項１〜請求項３のいずれかに記載の冷蔵庫。
【請求項５】
前記押圧領域を示すマーキングを前記カバー部材に施したことを特徴とする請求項１〜請求項４のいずれかに記載の冷蔵庫。
【請求項６】
前記天面パネルは前記本体部の前部に配されて左右に延びるリブを前記形成面よりも後方に突設されることを特徴とする請求項１〜請求項５のいずれかに記載の冷蔵庫。
【発明の詳細な説明】
【技術分野】
【０００１】
本発明は、扉の枢支軸を左右に変更できる冷蔵庫に関する。
【背景技術】
【０００２】
従来の冷蔵庫は特許文献１に開示されている。この冷蔵庫は断熱箱体から成る本体部に前面を開口する貯蔵室が設けられ、貯蔵室の上下に配されるヒンジピンにより枢支された扉により貯蔵室の前面が開閉される。ヒンジピンは本体部の左右端に択一的に取り付けられる。ヒンジピンを左右に入れ替えることによって扉の枢支軸を左右に変更することができる。
【０００３】
本体部の天面には扉の上面に嵌合するヒンジピンを挿通する挿通孔が左右端にそれぞれ設けられる。本体部の天面は樹脂成形品の天面パネルにより覆われる。本体部の前部の左右端には天面パネルに係着される樹脂成形品のカバー部材がそれぞれ配される。カバー部材は左右方向にスライド自在に配され、左方のカバー部材の右端部及び右方のカバー部材の左端部には天面パネルに係合する係合爪がそれぞれ設けられる。
【０００４】
カバー部材は本体部の左右方向の外側から内側にスライドして係合爪の係合により天面パネルに係着される。これにより、挿通孔及びヒンジピンがカバー部材で覆われ、冷蔵庫の美感が保持される。また、カバー部材の上面を押圧して係合爪の係合を解除し、左右方向の内側から外側にスライドしてカバー部材が天面パネルから取り外される。これにより、上方のヒンジピンを左右に入れ替えることができる。
【０００５】
また、特許文献１の従来例には左右端の挿通孔を一のカバー部材により覆う冷蔵庫が開示される。この冷蔵庫のカバー部材は左右方向の３箇所に並設された係合爪が前端及び後端に設けられる。カバー部材の前端の係合爪は本体部の前部に設けた前後に弾性変形する弾性体の前端に係合する。カバー部材の後端の係合爪は、天面パネルの前面と本体部との間に設けた孔部に挿入して天面パネルに係合する。
【０００６】
カバー部材は後端の係合爪を天面パネルに係合し、前部を下方に回動すると弾性体の弾性によって前端の係合爪が弾性体の前端に係合して本体部に取り付けられる。また、カバー部材は扉を開いた状態で前端の係合爪の係合を解除し、前部を上方に回動して取り外される。これにより、上方のヒンジピンを左右に入れ替えることができる。
【先行技術文献】
【特許文献】
【０００７】
【特許文献１】特開２００９−１０９０３５号公報（第５頁−第１１頁、第１図）
【発明の概要】
【発明が解決しようとする課題】
【０００８】
しかしながら、上記の前者の冷蔵庫によると、カバー部材が左右方向の外側にスライドして取り外されるため、冷蔵庫の左方または右方に壁があるとカバー部材を取り外すことができない。このため、冷蔵庫を前方に引き出してカバー部材を取り外すため、扉の枢支軸を容易に変更することができない問題があった。
【０００９】
また、上記の後者の冷蔵庫によると、カバー部材が上方に回動して取り外されるため、冷蔵庫の上方に壁があるとカバー部材を取り外すことができない。このため、上記と同様に、冷蔵庫を前方に引き出してカバー部材が取り外される。加えて、扉を開いて３箇所の係合爪の係合を解除することによってカバー部材が取り外されるため、作業が繁雑になる。従って、扉の枢支軸を容易に変更することができない問題があった。
【００１０】
本発明は、扉の枢支軸を容易に変更できる冷蔵庫を提供することを目的とする。
【課題を解決するための手段】
【００１１】
上記目的を達成するために本発明は、本体部に設けた貯蔵室を開閉する扉が前記本体部の左右端に択一的に配されるヒンジピンにより枢支され、前記扉の枢支軸を左右に可変の冷蔵庫において、前記本体部の天面前部の左右端に開口して前記扉の上面に嵌合する前記ヒンジピンが上方から挿通される挿通孔と、前記本体部の天面の少なくとも後部を覆うとともに前方に面した形成面に形成される係止部を有した天面パネルと、前記係止部に係合する複数の係合爪を後端に有して前記本体部の天面上を前後にスライド自在に配されるとともに左右の前記挿通孔を覆う一のカバー部材とを備え、前記カバー部材が左右に離れた２箇所に設けた押圧領域の押圧によって前記係合部と前記係合爪との係合を解除して前方に引き出して取り外されることを特徴としている。
【００１２】
この構成によると、使用者がカバー部材の２箇所の押圧領域を例えば両手の手指で上方から押圧すると、カバー部材の弾性によって天面パネルの係合部とカバー部材と係合爪との係合が解除される。この状態でカバー部材が前方に引き出して取り外され、挿通孔が露出する。一方の挿通孔に挿通されるヒンジピンを引き抜き、他方の挿通孔に挿通して扉に嵌合させることにより、扉の枢支軸が左右の逆側に変更される。そして、カバー部材が前方から後方にスライドし、係合部と係合爪の係合によって取り付けられる。
【００１３】
また本発明は、上記構成の冷蔵庫において、前記カバー部材は前記天面パネルに設けた嵌合孔に嵌合して左右方向を位置決めされるガイド部を有することを特徴としている。この構成によると、カバー部材の取り付け時に前方から後方にスライドさせると、天面パネルに設けた嵌合孔にガイド部が嵌合する。これにより、カバー部材が左右方向に位置決めされて前後方向に案内され、係合爪が係合部に係合して取り付けられる。
【００１４】
また本発明は、上記構成の冷蔵庫において、前記押圧領域近傍の前記係合爪の係合深さよりも前記押圧領域から離れた前記係合爪の係合深さが浅いことを特徴としている。この構成によると、押圧領域の押圧によって押圧領域近傍の係合爪が降下して係合部との係合が解除される。この時、押圧領域から離れた係合爪は降下量が小さいが、係合深さが浅いため係合部との係合が解除される。
【００１５】
また本発明は、上記構成の冷蔵庫において、前記係合爪の頂部が前記形成面に対して前後方向に傾斜することを特徴としている。この構成によると、カバー部材の取付け時に係合爪の頂部が天面パネルの係合部に点接触して係合爪が後方に移動する。そして、係合爪の頂部全体が係合部の後方に配されて係合部と係合爪とが係合する。
【００１６】
また本発明は、上記構成の冷蔵庫において、前記押圧領域を示すマーキングを前記カバー部材に施したことを特徴としている。
【００１７】
また本発明は、上記構成の冷蔵庫において、前記天面パネルは前記本体部の前部に配されて左右に延びるリブを前記形成面よりも後方に突設されることを特徴としている。この構成によると、本体部の天面に電子レンジ等の機器を設置する際に該機器がリブよりも後方に配される。これにより、該機器が押圧領域を押圧することによるカバー部材の脱落が防止される。
【発明の効果】
【００１８】
本発明によると、ヒンジピンの挿通孔を覆うカバー部材が左右に離れた２箇所に設けた押圧領域の押圧によって後端に設けた係合爪と天面パネルの係合部との係合を解除して前方に引き出して取り外される。これにより、冷蔵庫の側方や上方に壁があっても冷蔵庫を引き出すことなくヒンジピンを左右に入れ替えることができる。また、扉を閉じた状態で両手の手指で２箇所の押圧領域を押圧してカバー部材を容易に取り外すことができる。従って、扉の枢支軸を容易に変更することができる。
【図面の簡単な説明】
【００１９】
【図１】本発明の実施形態の冷蔵庫の要部を示す上面図
【図２】図１のＡ−Ａ断面図
【図３】図１のＢ−Ｂ断面図
【図４】本発明の実施形態の冷蔵庫のカバー部材の係合爪を示す斜視図
【図５】本発明の実施形態の冷蔵庫のカバー部材の係合爪の係合解除状態を示す側面断面図
【図６】本発明の実施形態の冷蔵庫のカバー部材を引き出した状態を示す側面断面図
【発明を実施するための形態】
【００２０】
以下に本発明の実施形態を図面を参照して説明する。図１は一実施形態の冷蔵庫の要部を示す上面図である。また、図２は図１のＡ−Ａ断面図である。冷蔵庫１は断熱箱体から成る本体部２に開口部３ａを前面に有した貯蔵室３が設けられる。
【００２１】
本体部２の天面にはヒンジピン５を支持する支持部材７が取り付けられる。本体部２の開口部３ａの下方にはヒンジピン６を支持する支持部材８が取り付けられる。ヒンジピン５は支持部材７に設けた挿通孔７ａに上方から挿通され、扉４の上面に設けられる孔部４ａに嵌合する。ヒンジピン６は支持部材８に設けた挿通孔８ａに上方から挿通され、扉４の下面に設けられる孔部４ｂに嵌合する。これにより、扉４はヒンジピン５、６により枢支され、ヒンジピン５、６の軸回りに回動して貯蔵室３の前面を開閉する。尚、ヒンジピン５、６は挿通孔７ａ、８ａからの脱落を防止するように抜け止めされる。
【００２２】
下方の支持部材８は左右方向に延びて形成され、左右の端部に挿通孔８ａが形成される。これにより、ヒンジピン６を左右の挿通孔８ａに入れ替えることができる。上方の支持部材７は本体部２の天面の左右端にそれぞれ設けられ、挿通孔７ａが開口する。これにより、ヒンジピン５を左右の挿通孔７ａに入れ替えることができる。従って、ヒンジピン５、６は本体部２の左右端に択一的に取り付けられる。ヒンジピン５、６を左右に入れ替えることによって扉４の枢支軸を左右に変更することができる。
【００２３】
本体部２の天面は樹脂成形品により形成される天面パネル１０により覆われる。天面パネル１０は支持部材７を避けて本体部２の前方まで延びて形成される。天面パネル１０の前部には樹脂成形品により形成される一のカバー部材２０が係着される。カバー部材２０によって挿通孔７ａを含む支持部材７及びヒンジピン５が覆われ、冷蔵庫１の美感が保持される。
【００２４】
図３は図１のＢ−Ｂ断面図を示している。図１、図３において、天面パネル１０の前部には左右の両端に渡って後部に対して低い段差部１１が形成される。段差部１１の後端には段差部１１の背壁１１ａから底面に連続する貫通孔１１ｂが左右方向に複数設けられる。段差部１１の背壁１１ａは上方から見て湾曲し、貯蔵室３の開口面３ａに対して傾斜する。
【００２５】
カバー部材２０は段差部１１を覆うように左右に延びて形成される。カバー部材２０の前端には水平に延びて段差部１１の前端１１ｃに係合する係合突起２３が形成される。カバー部材２０の後端には段差部１１の貫通孔１１ｂを貫通して段差部１１の背壁１１ａに係合する係合爪２１、２２が突設される。
【００２６】
係合爪２１、２２は貫通孔１１ｂに対応して複数設けられる。本実施形態ではカバー部材１０の左右方向の中心近傍に２つの係合爪２２が左右対称に配され、係合爪２２の両外側に係合爪２１が左右対称に配される。
【００２７】
係合爪２１は本体部２の両側面に親指を除く手指を掛けて親指が届く位置に設けられる。カバー部材２０の上面には係合爪２１の前方に矩形のマーキング２６ａ及びドット状のマーキング２６ｂが施される。
【００２８】
図４は係合爪２１の斜視図を示している。係合爪２１は後方に延びる腕部２１ａから爪部２１ｂが上方に突出して形成される。腕部２１ａの弾性によって爪部２１ｂが上下方向に可動になっている。爪部２１ｂの頂部２１ｃは貯蔵室３の開口面３ａに対して平行に形成される。尚、係合爪２２も係合爪２１と同様に形成される。この時、係合爪２１の爪部２１ｂの高さＨは係合爪２２の爪部の高さＨよりも高く形成される。
【００２９】
カバー部材２０の後端には水平に延びるガイド部２４が係合爪２２の外側に突設される。ガイド部２４は天面パネル１０の段差部１１の背壁１１ａに開口する嵌合孔１１ｄ（図２参照）に少なくとも左右方向が嵌合する。
【００３０】
また、天面パネル１０の上面には左右に延びるリブ１４が突設される。リブ１４は本体部２の前部に配され、段差部１１の背壁１１ａよりも後方に形成される。天面パネル１０上に電子レンジ等の機器を設置する際に該機器がリブ１４よりも後方に配され、カバー部材２０に荷重が加わることを防止する。
【００３１】
カバー部材２０が段差部１１上を前方から後方にスライド移動されると、ガイド部２４が嵌合孔１１ｄに嵌合する。これにより、カバー部材２０が左右方向に位置決めされる。更にカバー部材２０が後方にスライド移動されると、カバー部材２０の前端の係合突起２３が段差部１１の前端１１ｃに係合する。同時に、係合爪２１、２２が弾性により貫通孔１１ｂを貫通して貫通孔１１ｂの周囲の背壁１１ａに係合する。
【００３２】
従って、貫通孔１１ｂの周囲の背壁１１ａは係合爪２１、２２に係合する係合部１２を構成するとともに、背壁１１ａ全体は係合部１２の形成面を構成する。これにより、カバー部材２０が天面パネル１０に係着される。
【００３３】
この時、係合部１２の形成面である背壁１１ａは開口面３ａに対して傾斜し、係合爪２１、２２の頂部２１ｃ、２２ｃ（図１参照）は開口面３ａに対して平行に形成される。これにより、係合爪２１、２２の頂部２１ｃ、２２ｃが係合部１２の形成面（背壁１１ａ）に対して前後方向に傾斜する。
【００３４】
このため、係合部１２を形成する貫通孔１１ａの上面と係合爪２１、２２とが点接触してカバー部材２０がスライドし、係合爪２１、２２の頂部全体が貫通孔１１ａを貫通して係合部１２に係合する。従って、係合爪２１、２２と係合部１２との摺動摩擦を低減し、容易にカバー部材２０を取り付けることができる。
【００３５】
また、本体部２に取り付けられたカバー部材２０は本体部２の両側面に親指以外の手指を掛けてマーキング２６ａ、２６ｂ部分を親指で押圧すると弾性変形する。これにより、図５に示すように、マーキング２６ａ、２６ｂの近傍の係合爪２１と係合部１２との係合が解除される。この時、マーキング２６ａ、２６ｂから離れた係合爪２２は爪部の高さＨが低いため係合部１２との係合深さが浅い。このため、マーキング２６ａ、２６ｂ部分の押圧によって係合爪２２と係合部１２との係合が解除される。
【００３６】
従って、マーキング２６ａ、２６ｂが施された左右に離れた２箇所の押圧領域２５の押圧によって係合爪２１、２２と係合部１２との係合を解除することができる。
【００３７】
そして、図６に示すように係合爪２１、２２と係合部１２との係合が解除された状態でカバー部材２０前方に引き出すと、カバー部材２０を取り外すことができる。従って、本体部２の側方や上方に壁があっても冷蔵庫１を引き出すことなくヒンジピン５を入れ替えることができる。
【００３８】
本実施形態によると、ヒンジピン５の挿通孔７ａを覆うカバー部材２０が左右に離れた２箇所に設けた押圧領域２５の押圧によって後端に設けた係合爪２１、２２と天面パネル１０の係合部１２との係合を解除して前方に引き出して取り外される。これにより、冷蔵庫１の側方や上方に壁があっても冷蔵庫１を引き出すことなくヒンジピン５を左右に入れ替えることができる。また、扉４を閉じた状態で両手の手指で２箇所の押圧領域２５を押圧してカバー部材２０を容易に取り外すことができる。従って、扉４の枢支軸を容易に変更することができる。
【００３９】
また、カバー部材２０が天面パネル１０に設けた嵌合孔１１ｄに嵌合して左右方向を位置決めされるガイド部２４を有するので、カバー部材２０を左右方向に位置決めして前後方向に容易に案内することができる。尚、係合爪２１、２２と貫通孔１１ａとの嵌合によってカバー部材２０を左右方向に位置決めしてもよい。
【００４０】
また、押圧領域２５近傍の係合爪２１の係合深さよりも押圧領域２５から離れた係合爪２２の係合深さが浅いので、２箇所の押圧領域２５の押圧によって係合爪２１、２２の係合を解除してカバー部材２０を取り外すことができる。
【００４１】
また、係合爪２１、２２の頂部２１ｃ、２２ｃが係合部１２の形成面（背壁１１ａ）に対して前後方向に傾斜するので、係合爪２１、２２と係合部１２との摺動摩擦を低減して容易にカバー部材２０を取り付けることができる。
【００４２】
また、押圧領域２５を示すマーキング２６ａ、２６ｂをカバー部材２０に施したので、使用者が押圧領域２５を認識して容易にカバー部材２０を取り外すことができる。
【００４３】
また、天面パネル１０は本体部２の前部に配されて左右に延びるリブ１４を係合部１２の形成面（１１ａ）よりも後方に突設されるので、天面パネル１０上に電子レンジ等の機器を設置する際に該機器がリブ１４よりも後方に配され、カバー部材２０に荷重が加わることを防止する。これにより、該機器が押圧領域２５を押圧することによるカバー部材２０の脱落を防止することができる。
【００４４】
本実施形態において、カバー部材２０が天面パネル１０の前部に設けた段差部１１上に配されるが、段差部１１を設けずに本体部２の直上にカバー部材２０を配してもよい。即ち、天面パネル１０は本体部２の天面の少なくとも後部を覆っていればよい。この時、係合突起２３は本体部２に係合し、係合部１２は天面パネル１０の前面に形成される。
【産業上の利用可能性】
【００４５】
本発明によると、扉の枢支軸を左右に変更できる冷蔵庫に利用することができる。
【符号の説明】
【００４６】
１    冷蔵庫
２    本体部
３    貯蔵室
３ａ  開口部
４    扉
５、６  ヒンジピン
７、８    支持部材
７ａ、８ａ  挿通孔
１０    天面パネル
１１    段差部
１１ａ  背壁
１１ｂ  貫通孔
１１ｃ  前端
１１ｄ  嵌合孔
１２    係合部
１４    リブ
２０    カバー部材
２１、２２  係合爪
２３    係合突起
２４    ガイド部
２５    押圧領域
２６ａ、２６ｂ  マーキング
【図１】
2012078009.tif 000003
【図２】
2012078009.tif 000004
【図３】
2012078009.tif 000005
【図４】
2012078009.tif 000006
【図５】
2012078009.tif 000007
【図６】
2012078009.tif 000008
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
本体部に設けた貯蔵室を開閉する扉が前記本体部の左右端に択一的に配されるヒンジピンにより枢支され、前記扉の枢支軸を左右に可変の冷蔵庫において、
前記本体部の天面前部の左右端に開口して前記扉の上面に嵌合する前記ヒンジピンが上方から挿通される挿通孔と、前記本体部の天面の少なくとも後部を覆うとともに前方に面した形成面に形成される係合部を有した天面パネルと、前記係合部に係合する複数の係合爪を後端に有して前記本体部の天面上を前後にスライド可能に配されるとともに左右の前記挿通孔を覆う一のカバー部材とを備え、
前記カバー部材が左右に離れた２箇所に設けた押圧領域の上方からの押圧によって前記係合部と前記係合爪との係合を解除して略水平方向に前方に引き出して取り外されることを特徴とする冷蔵庫。
【請求項２】
本体部に設けた貯蔵室を開閉する扉が前記本体部の左右端に択一的に配されるヒンジピンにより枢支され、前記扉の枢支軸を左右に可変の冷蔵庫において、
前記本体部の天面前部の左右端に開口して前記扉の上面に嵌合する前記ヒンジピンが上方から挿通される挿通孔と、前記本体部の天面の少なくとも後部を覆うとともに前方に面した形成面に形成される係合部を有した天面パネルと、前記係合部に係合する複数の係合爪を後端に有して前記本体部の天面上を前後にスライド可能に配されるとともに左右の前記挿通孔を覆う一のカバー部材とを備え、
前記カバー部材が左右に離れた２箇所に設けた押圧領域の押圧によって前記係合部と前記係合爪との係合を解除して前方に引き出して取り外され、
前記押圧領域近傍の前記係合爪の係合深さよりも前記押圧領域から離れた前記係合爪の係合深さが浅いことを特徴とする冷蔵庫。
【請求項３】
前記カバー部材は前記天面パネルに設けた嵌合孔に嵌合して左右方向を位置決めされるガイド部を有することを特徴とする請求項１または請求項２に記載の冷蔵庫。
【請求項４】
前記係合爪の頂部が前記形成面に対して前後方向に傾斜することを特徴とする請求項１〜請求項３のいずれかに記載の冷蔵庫。
【請求項５】
前記押圧領域を示すマーキングを前記カバー部材に施したことを特徴とする請求項１〜請求項４のいずれかに記載の冷蔵庫。
【請求項６】
前記天面パネルは前記本体部の前部に配されて左右に延びるリブを前記形成面よりも後方に突設されることを特徴とする請求項１〜請求項５のいずれかに記載の冷蔵庫。
【手続補正２】
【補正対象書類名】明細書
【補正対象項目名】００３７
【補正方法】変更
【補正の内容】
【００３７】
そして、図６に示すように係合爪２１、２２と係合部１２との係合が解除された状態でカバー部材２０を前方に引き出すと、カバー部材２０を取り外すことができる。従って、本体部２の側方や上方に壁があっても冷蔵庫１を引き出すことなくヒンジピン５を入れ替えることができる。